(57)【要約】【課題】軒樋を安定した姿勢で梱包できる梱包箱、梱包部材、および梱包構造を提供する。【解決手段】梱包箱２は、重心が屋外側である前側に位置した軒樋５を収納可能な箱である。梱包箱２は、梱包箱２の前面部を構成し、梱包箱２に開口部５３を上に向けて収納された軒樋５の前壁部５１に対向する前板部２１を備える。前板部２１が、上方程後方に位置するように傾斜する。【選択図】図１
2016113163.tif 000002
【特許請求の範囲】
【請求項１】
重心が屋外側である前側に位置した軒樋を収納するための箱であって、
前記箱の前面部を構成し、前記箱に開口部を上に向けて収納された前記軒樋の前壁部に対向する前板部を備え、
この前板部が、上方程後方に位置するように傾斜したことを特徴とする梱包箱。
【請求項２】
前記軒樋を含む複数の軒樋が前記軒樋の長手方向と直交する方向に並べて収納される梱包箱であって、
前記前板部の側端部から後方に突出した第１補強板部と、
前記箱の後面部を構成する後板部の前記第１補強板部側の側端部から前方に突出し、前記第１補強板部に沿って配置される第２補強板部と、
前記箱の下面部を構成する底板部の前記第１補強板部側の側端部から上方に突出し、前記第１補強板部および前記第２補強板部のうちの外側に位置する補強板部の外面に沿って配置される側板部と、
前記側板部の上端部に接続され、前記第１補強板部および前記第２補強板部のうちの内側に配置された補強板部の内面に沿うように折り込まれる折込部と、
前記前板部の上端部から後方に突出し、前記前板部に対して折曲可能な第１蓋部と、
前記後板部の上端部から前方に突出し、前記後板部に対して折曲可能で、前記第１蓋部とで前記箱の上開口部を閉塞する第２蓋部とを備えたことを特徴とする請求項１に記載の梱包箱。
【請求項３】
請求項１または請求項２に記載の梱包箱と、
前記梱包箱に収納された前記軒樋を保持するための保持部材とを備えた梱包部材であって、前記保持部材は、
前記軒樋の下方に配置されて前記軒樋を支持する底片部と、
前記底片部から上方に突出して前記開口部を上に向けて収納された前記軒樋の前記前壁部に対向する前片部とを備え、
前記底片部が前記前片部よりも前方に突出した突出部を備えたことを特徴とする梱包部材。
【請求項４】
梱包箱と、
第１軒樋と、
第２軒樋とを備え、
前記第１軒樋および前記第２軒樋のそれぞれは、重心が屋外側となる前側に偏った位置に存在し、
底壁部と、
前記底壁部の前端部から立ち上がり、上方程前方に位置するように傾斜した前壁部と、
前記底壁部の後端部から立ち上がり、前記底壁部に対して垂直な後壁部とを備え、
前記第１軒樋は、前記第１軒樋の開口部を上に向けた状態で前記梱包箱に収納され、
前記第２軒樋は、前記第２軒樋の開口部を下に向け、前記第２軒樋の前記後壁部を前記第１軒樋の内側に挿入し、かつ前記第２軒樋の内側に前記第１軒樋の前記後壁部を挿入した状態で前記梱包箱に収納され、
前記梱包箱の前面部を構成する前板部が、前記第１軒樋の前記前壁部に対向し、上方程後方に位置するように傾斜したことを特徴とする梱包構造。
【発明の詳細な説明】
【技術分野】
【０００１】
本発明は、軒樋を梱包するための梱包箱、梱包部材、および梱包構造に関する。
【背景技術】
【０００２】
特許文献１には、軒樋が開示されている。この軒樋は、屋内側に位置する後板部が底板部に対して垂直であり、屋外側に位置する前板部は上方程前方に位置するように傾斜している。
【先行技術文献】
【特許文献】
【０００３】
【特許文献１】特開２０１４−１３４０４４号公報
【発明の概要】
【発明が解決しようとする課題】
【０００４】
ところで、特許文献１に示す軒樋は、重心が傾斜した前板部が存在する前側に偏りやすい。このため、このような軒樋は、安定した姿勢で梱包することが難しい。
【０００５】
本発明は前記事情に鑑みてなされたものであって、軒樋を安定した姿勢で梱包できる梱包箱、梱包部材、および梱包構造を提供することを課題とする。
【課題を解決するための手段】
【０００６】
前記課題を解決するために本発明の梱包箱は、重心が屋外側である前側に位置した軒樋を収納するための箱であって、前記箱の前面部を構成し、前記箱に開口部を上に向けて収納された前記軒樋の前壁部に対向する前板部を備え、この前板部が、上方程後方に位置するように傾斜したことを特徴とする。
【０００７】
また、本発明の梱包部材は、梱包箱と、前記梱包箱に収納された前記軒樋を保持するための保持部材とを備えた梱包部材であって、前記保持部材は、前記軒樋の下方に配置されて前記軒樋を支持する底片部と、前記底片部から上方に突出して前記軒樋の前記前壁部に対向する前片部とを備え、前記底片部が前記前片部よりも前方に突出した突出部を備えたことを特徴とする。
【０００８】
また、本発明の梱包構造は、梱包箱と、第１軒樋と、第２軒樋とを備え、前記第１軒樋および前記第２軒樋のそれぞれは、重心が屋外側となる前側に偏った位置に存在し、底壁部と、前記底壁部の前端部から立ち上がり、上方程前方に位置するように傾斜した前壁部と、前記底壁部の後端部から立ち上がり、前記底壁部に対して垂直な後壁部とを備え、前記第１軒樋は、前記第１軒樋の開口部を上に向け、かつ前記前壁部が前記梱包箱の前面部を構成する前板部に対向するように前記梱包箱に収納され、前記第２軒樋は、前記第２軒樋の開口部を下に向け、前記後壁部を前記第１軒樋の内側に挿入し、かつ前記第２軒樋の内側に前記第１軒樋の前記後壁部を挿入した状態で前記梱包箱に収納され、前記梱包箱の前板部が、前記第１軒樋の前記前壁部に対向し、上方程後方に位置するように傾斜したことを特徴とする。
【発明の効果】
【０００９】
本発明に係る梱包箱、梱包部材、および梱包構造は、梱包箱に収納された軒樋を梱包箱の傾斜した前板部で支持して、梱包箱内の軒樋を倒れにくくすることができ、軒樋を安定した姿勢で梱包できる。
【図面の簡単な説明】
【００１０】
【図１】本発明の実施形態の梱包構造を示し、図２のＡ−Ａ線断面図である。
【図２】前記梱包構造の梱包箱を示す斜視図である。
【図３】前記梱包箱の展開図である。
【図４】図２のＢ−Ｂ線断面図である。
【図５】前記梱包箱の組立途中を示す斜視図である。
【図６】他例の梱包構造を示す断面図である。
【図７】さらに他例の梱包構造を示す断面図である。
【発明を実施するための形態】
【００１１】
以下、添付図面に基づいて本発明の実施形態について説明する。図１に本実施形態の軒樋５の梱包構造を示す。
【００１２】
まず、梱包部材１によって梱包される軒樋５について説明する。なお、以下では、特に記載する場合を除き、軒樋５を建物に設置した状態における方向を基準にして軒樋５について説明する。具体的には、建物設置時における建物側を後方、屋外側（建物と反対側）を前方として説明する。
【００１３】
本実施形態の軒樋５は、金属板から形成されており、具体的には鋼板製である。なお、軒樋５は金属製に限られず、例えば合成樹脂製であってもよい。
【００１４】
具体的に本実施形態の軒樋５は、上方に開口した略Ｕ字状に形成されており、底壁部５０、前壁部５１、および後壁部５２を備えている。軒樋５の内側は、軒樋５の上端部に形成された開口部５３を介して上方に開放されている。
【００１５】
軒樋５は、重心が前側に偏った位置に存在している。本実施形態の軒樋５の底壁部５０の前後幅は、前壁部５１および後壁部５２の高さよりも短く、軒樋５は全体として縦長の断面形状を有している。
【００１６】
底壁部５０、前壁部５１、および後壁部５２は、平板状に形成されている。前壁部５１は、底壁部５０の前端部から立ち上がっている。前壁部５１は、上方程前方に位置するように傾斜している。
【００１７】
後壁部５２は、底壁部５０の後端部から立ち上がっている。後壁部５２は、底壁部５０に対して垂直である。このため、前壁部５１と後壁部５２の間隔は、上方程大きくなっている。ここで、前記「垂直」には、後壁部５２が底壁部５０に対して厳密に垂直である場合は勿論、前方に傾斜した前壁部５１と比較して垂直に近ければ、前方または後方にわずかに傾斜している場合も含まれる。
【００１８】
後壁部５２は、前壁部５１よりも背が低く、前壁部５１の上端部は、後壁部５２よりも上方に突出している。
【００１９】
軒樋５は、軒樋吊具を介して建物の外壁に取り付け可能である。軒樋５は、前記軒樋吊具に掛止可能な、前耳部５４および後耳部５５を備えている。
【００２０】
前耳部５４は、前壁部５１の上端部から後方に向かって突出している。前耳部５４は、例えば前壁部５１の上端部を内側に折り込んで形成される。
【００２１】
後耳部５５は、後壁部５２の上端部から前方に向かって突出している。後耳部５５は、例えば後壁部５２の上端部を内側に折り込んで形成される。なお、本実施形態の前耳部５４および後耳部５５は、軒樋５の内面側に突出しているが、軒樋５の外面側に向かって突出した耳部であってもよい。
【００２２】
次に本実施形態の梱包部材１について説明する。なお、以下では、図１においてＤ１に示す方向を前方、Ｄ２に示す方向を後方として、梱包部材１について説明する。
【００２３】
本実施形態の梱包部材１は、複数の軒樋５を収納するための梱包箱２と、梱包箱２に収納された軒樋５を保持するための保持部材４とを備えている。
【００２４】
図２に梱包箱２を示し、図３に梱包箱２の展開図を示す。梱包箱２は、折曲可能な板状材から形成されている。本実施形態の梱包箱２は、段ボールから形成されている。なお、梱包箱２は、ボール紙等、段ボールに準ずる、紙やプラスッチック等の板状材から形成されてもよい。
【００２５】
図３に示すように、梱包箱２は、底板部２０、前板部２１、後板部２２、および左右の側板部２３，２４を備えている。本実施形態の梱包箱２は、さらに第１蓋部２５、第２蓋部２６、左右の第１補強板部２７，２８、左右の第２補強板部２９，３０および左右の折込部３１，３２を備えている。
【００２６】
図２に示すように、梱包箱２は、左右方向に延びた台形箱状に形成されている。前板部２１の幅と後板部２２の幅は、同じである。前板部２１の傾斜角度（前板部２１と底板部２０との間の内角）と、後板部２２の傾斜角度（後板部２２と底板部２０との間の内角）は、同じであり、各側板部２３は、等脚台形状に形成されている。つまり、梱包箱２は、側面視等脚台形状の箱である。
【００２７】
梱包箱２の底板部２０は、梱包箱２の下面部を構成する。図３に示すように、底板部２０は、左右方向に長い矩形状である。
【００２８】
前板部２１は、底板部２０の前端部に接続されている。前板部２１は、左右方向に長い矩形状である。前板部２１は、底板部２０に対して折り曲げられ、底板部２０の前端部から立ち上がる。前板部２１は、梱包箱２の前面部を構成する。前板部２１は、上方程後方に位置するように傾斜する。
【００２９】
後板部２２は、底板部２０の後端部に接続されている。後板部２２は、左右方向に長い矩形状である。後板部２２は、底板部２０に対して折り曲げられ、底板部２０の後端部から立ち上がる。後板部２２は、梱包箱２の後面部を構成する。後板部２２は、上方程前方に位置するように傾斜する。
【００３０】
左右の第１補強板部２７，２８および左右の第２補強板部２９，３０は、上底が下底より小さい台形状に形成されている。第１補強板部２７，２８と、第２補強板部２９，３０は、同大同形である。なお、左右の第１補強板部２７，２８および左右の第２補強板部２９，３０のそれぞれの形状は、台形状に制限されない。
【００３１】
左側の第１補強板部２７は、前板部２１の左端部に接続されている。左側の第１補強板部２７は、前板部２１に対して垂直に折り曲げられ、前板部２１の左端部から後方に向かって突出する。
【００３２】
右側の第１補強板部２８は、前板部２１の右端部に接続されている。右側の第１補強板部２８は、前板部２１に対して垂直に折り曲げられ、前板部２１の右端部から後方に向かって突出する。
【００３３】
左側の第２補強板部２９は、後板部２２の左端部に接続されている。左側の第２補強板部２９は、後板部２２に対して垂直に折り曲げられ、後板部２２から前方に向かって突出する。
【００３４】
右側の第２補強板部３０は、後板部２２の右端部に接続されている。右側の第２補強板部３０は、後板部２２に対して垂直に折り曲げられ、後板部２２の前方に向かって突出する。
【００３５】
左右の第２補強板部２９，３０は、対応する第１補強板部２７，２８と重ねて配置される（図４参照）。なお、第１補強板部２７，２８と第２補強板部２９，３０は、第１補強板部２７，２８を対応する第２補強板部２９，３０の外面に沿って配置して重ねてもよいし、第２補強板部２９，３０を対応する第１補強板部２７，２８の外面に沿って配置して重ねてもよい。
【００３６】
梱包箱２の左右両端部のそれぞれには、第１補強板部２７，２８と対応する第２補強板部２９，３０によって構成された補強部が形成されている。
【００３７】
左側の側板部２３は、底板部２０の左端部に接続され、右側の側板部２４は底板部２０の右端部に接続されている。左右の側板部２３，２４は、底板部２０に対して垂直に折り曲げられ、底板部２０から立ち上がる。左右の側板部２３，２４は、梱包箱２の側面部を構成する。
【００３８】
左右の側板部２３，２４は、第１補強板部２７，２８および第２補強板部２９，３０と同大同形であり、上底が下底より小さい台形状に形成されている。なお、左右の第１補強板部２７，２８および左右の第２補強板部２９，３０は、側板部２３，２４よりも小さくてもよい。
【００３９】
左側の折込部３１は、左側の側板部２３の上端部に接続されている。右側の折込部３２は、右側の側板部２４の上端部に接続されている。左右の折込部３１，３２は、対応する側板部２３，２４よりも小さい略矩形状に形成されている。
【００４０】
図４に示すように、左側の折込部３１は、左側の側板部２３に対して側板部２３と平行になるように内側に折り込まれる。左側の折込部３１は、左側の第１補強板部２７および左側の第２補強板部２９のうち、内側に配置された補強板部の内面に沿って配置される。
【００４１】
右側の折込部３２も、右側の側板部２４に対して側板部２４と平行になるように内側に折り込まれる。右側の折込部３２は、右側の第１補強板部２８および右側の第２補強板部３０のうち、内側に配置された補強板部の内面に沿って配置される。
【００４２】
梱包箱２には、底板部２０、前板部２１、後板部２２、および左右の側板部２３，２４で囲まれた収納空間３４が形成されている。梱包箱２の上端部には、前板部２１の上縁部、後板部２２の上縁部、および左右の側板部２３，２４の上縁部で構成された上開口部３３が形成されている。梱包箱２内の収納空間３４は、上開口部３３を介して上方に開放することができる。
【００４３】
図３に示すように、第１蓋部２５は、前板部２１の上端部に接続されている。第１蓋部２５は、左右方向に長い矩形状である。第１蓋部２５は、図４に示すように、底板部２０と平行になるように前板部２１に対して折り曲げられ、前板部２１の上端部から後方に向かって突出する。
【００４４】
図３に示すように、第２蓋部２６は、後板部２２の上端部に接続されている。第２蓋部２６は、左右方向に長い矩形状である。第２蓋部２６は、図４に示すように、第１蓋部２５および底板部２０と平行になるように、後板部２２に対して折り曲げられ、後板部２２の上端部から前方に向かって突出する。
【００４５】
第１蓋部２５と第２蓋部２６は、上下に重ねて配置される。なお、第１蓋部２５と第２蓋部２６は、第１蓋部２５を第２蓋部２６の外面に沿って配置することで重ねてもよいし、第２蓋部２６を第１蓋部２５の外面に沿って配置することで重ねてもよい。第１蓋部２５と第２蓋部２６で梱包箱２の上面部が構成され、この上面部によって、梱包箱２の上開口部３３が閉塞される。
【００４６】
梱包箱２には、図１に示すように梱包箱２内に収納された軒樋５を保持するための保持部材４が収納される。本実施形態では、梱包箱２に、保持部材４が左右方向（梱包箱２の長手方向）に複数並べて収納される。各保持部材４は、軒樋５の外側に位置して軒樋５を保護する。各保持部材４は、例えば搬送時に軒樋５が外力を受けやすい箇所に配置される。
【００４７】
梱包箱２の左右方向の両端部は、梱包箱２をトラックや足場に斜めに立てかけたときに荷重を受けやすい。また、梱包箱２の左右方向の中央部は、作業者が梱包箱２を肩に担いで運ぶときに荷重を受けやすい。このため、保持部材４は、例えば梱包箱２の左右方向の両端部および中央部に設けることが好ましい。
【００４８】
なお、保持部材４は、梱包箱２に一つだけ収納されてもよい。また、この場合、保持部材４は、梱包箱２の左右方向の一部にのみ設けられてもよいし、梱包箱２の左右方向の全長に亘って設けられてもよい。
【００４９】
各保持部材４は、段ボールから形成されている。なお、保持部材４は、段ボールに準ずる、紙やプラスッチック等の材料から形成されてもよい。
【００５０】
保持部材４は、底片部４０、前片部４１、および後片部４２を備えている。底片部４０、前片部４１、および後片部４２は、それぞれ左右方向に長い矩形板状である。
【００５１】
底片部４０は、梱包箱２内に収納された軒樋５の下方に配置され、軒樋５を支持する。前片部４１は、底片部４０の前部から上方に突出し、保持部材４の前面部を構成する。後片部４２は、底片部４０の後部から上方に突出し、保持部材４の後面部を構成する。前片部４１および後片部４２は、底片部４０に対して垂直である。
【００５２】
保持部材４の底片部４０、前片部４１、および後片部４２で囲まれた空間には、軒樋５が収納される。この空間は、前片部４１の上縁部と後片部４２の上縁部の間に形成された開口から、上方に開放されている。
【００５３】
底片部４０は、前側の突出部４３と後側の突出部４４を備えている。前側の突出部４３は、底片部４０の前端部で構成され、前片部４１よりも前方に突出している。後側の突出部４４は、底片部４０の後端部で構成され、後片部４２よりも後方に突出している。
【００５４】
保持部材４は、底片部４０を梱包箱２の底板部２０上に載置した状態で梱包箱２に収納される。このように収納された保持部材４は、前片部４１が梱包箱２の前板部２１に対向し、後片部４２が梱包箱２の後板部２２に対向する。
【００５５】
梱包箱２には、図１に示すように、互いに上下逆にして重なるように配置された２つの軒樋５が、前後方向に複数組（図示例では２組）収納される。以下、必要に応じて、開口部５３を上に向けて収納された軒樋５を第１軒樋５６と記載し、開口部５３を下に向けて収納された軒樋５を第２軒樋５７と記載する。
【００５６】
各軒樋５は、梱包箱２内に配置された保持部材４の内側に収納される。具体的に各第１軒樋５６は、後壁部５２を梱包箱２の底板部２０に対して垂直にした状態で保持部材４に収納される。これら各第１軒樋５６は、底壁部５０が梱包箱２に収納された保持部材４の底片部４０に載置され、底片部４０を介して梱包箱２の底板部２０で支持される。
【００５７】
各第２軒樋５７は、後壁部５２を梱包箱２の底板部２０に対して垂直にした状態で保持部材４に収納される。各第２軒樋５７の後壁部５２は、対応する第１軒樋５６の内側に挿入される。各第２軒樋５７の内側には、対応する第１軒樋５６の後壁部５２が挿入される。各第２軒樋５７の前壁部５１の先端部（建物設置時における上端部）は、保持部材４の底片部４０に載置される。
【００５８】
梱包箱２内において最も前方に位置する第１軒樋５６は、前壁部５１が保持部材４の前片部４１および梱包箱２の前板部２１に対向する位置に配置される。このため、最も前方に位置する第１軒樋５６が前側に倒れようとしたとき、この第１軒樋５６の前壁部５１が、保持部材４の前片部４１および梱包材の前板部２１によって支持される。梱包箱２内において最も後方に位置する第２軒樋５７は、前壁部５１が保持部材４の後片部４２および梱包箱２の後板部２２に対向する位置に配置される。
【００５９】
梱包箱２に収納された各第１軒樋５６の前耳部５４と対応する第２軒樋５７の後壁部５２との間には、隙間６０が形成されており、各第１軒樋５６の前耳部５４は、対応する第２軒樋５７の後壁部５２の外面に接触しにくい。このため、各第２軒樋５７の外面部には、第１軒樋５６の前耳部５４との接触による傷が付きにくい。
【００６０】
梱包箱２に収納された各第２軒樋５７の前耳部５４と対応する第１軒樋５６の後壁部５２の間には、隙間６１が形成されており、各第２軒樋５７の前耳部５４は、対応する第１軒樋５６の後壁部５２の外面に接触しにくい。このため、各第１軒樋５６の外面部には、第２軒樋５７の前耳部５４との接触による傷が付きにくい。
【００６１】
梱包箱２に収納された各第１軒樋５６の後耳部５５は、対応する第２軒樋５７の内側に配置される。このため、各第２軒樋５７の外面部には、第１軒樋５６の後耳部５５との接触による傷が付きにくい。
【００６２】
梱包箱２に収納された各第２軒樋５７の後耳部５５は、対応する第１軒樋５６の内側に配置される。このため、各第１軒樋５６の外面部には、第２軒樋５７の後耳部５５との接触による傷が付きにくい。
【００６３】
本実施形態の梱包箱２には、例えば以下のように軒樋５が収納される。まず、作業者は、箱状に組み立てられ、かつ第１蓋部２５および第２蓋部２６が開いた状態にある梱包箱２の底板部２０上に、保持部材４を載置する。
【００６４】
次に作業者は、保持部材４の前片部４１と後片部４２の間に、軒樋５を収納する。このとき作業者は、前述したように、第１軒樋５６は開口部５３を上に向け、第２軒樋５７は開口部５３を下に向けて、両軒樋５を上下逆にした状態で重ねる。次に作業者は、梱包箱２の第１蓋部２５および第２蓋部２６を閉じて、梱包箱２の上開口部３３を閉塞する。そして、作業者は、テープ、ステープラー、または接着剤等を用いて、第１蓋部２５と第２蓋部２６を接続する。
【００６５】
なお、前記梱包時には、梱包箱２の側板部２３，２４と対応する第１補強板部２７，２８、側板部２３，２４と対応する第２補強板部３０、ならびに第１補強板部２７，２８と対応する第２補強板部２９，３０を、テープ等を用いて接続してもよい。
【００６６】
また、梱包箱２は、保持部材４を梱包箱２の底板部２０上に載置するとき、あるいは保持部材４に各軒樋５を収納するときにおいては、図３に示す展開状態や、図５に示す組立途中の状態であってもよい。この場合、梱包箱２は、梱包箱２の底板部２０上に保持部材４を載置し、この保持部材４に各軒樋５を収納した後に箱状に組み立てられる。
【００６７】
前記のように梱包箱２に梱包された軒樋５は、例えば以下のように梱包箱２から取り出される。まず、作業者は、第１蓋部２５と第２蓋部２６を開き、梱包箱２の上開口部３３を開放する。次に作業者は、この上開口部３３から、梱包箱２に収納された軒樋５を梱包箱２から上方に取り出す。
【００６８】
以上説明した本実施形態の梱包箱２は、以下に示す特徴を有している。梱包箱２は、重心が屋外側である前側に位置した軒樋５を収納するための箱である。梱包箱２は、梱包箱２の前面部を構成し、梱包箱２に開口部５３を上に向けて収納された軒樋５の前壁部５１に対向する前板部２１を備える。前板部２１は、上方程後方に位置するように傾斜する。
【００６９】
この特徴を有する梱包箱２に開口部５３を上に向けて収納された軒樋５は、重心が前側に位置するため、前側に倒れやすいが、仮に梱包箱２内の軒樋５が前側に倒れようとしたとしても、この軒樋５の前壁部５１は、梱包箱２の前板部２１で支持される。このため、梱包箱２内の軒樋５を倒れにくくすることができ、軒樋５を安定した姿勢で梱包できる。
【００７０】
また、前板部２１は、上方程後方に位置するように傾斜しているため、開口部５３を上に向けて収納された軒樋５の前壁部５１によって前方に押されたとしても、前側に倒れにくい。仮に前板部２１が底板部２０に対して垂直であると、前板部２１が軒樋５の前壁部５１によって前側に押されたとき、前板部２１には軒樋５から板状の前板部２１に対して垂直な方向の荷重がかかりやすい。このため、前板部２１は底板部２０との接続部分を軸にして前側に倒れやすい。これに対して、本実施形態の梱包箱２は、前板部２１が上方程後方に位置するように傾斜して、軒樋５から前板部２１に垂直な方向の荷重がかかりにくい。従って、前板部２１は前側に倒れにくい。従って、前板部２１により前側に倒れようとする軒樋５をしっかりと支持できる。また、前板部２１が前側に倒れて梱包箱２が潰れることも抑制できる。このため、例えば軒樋５を収納した梱包箱２を上下多段に積み重ねたときに、梱包箱２が潰れて荷崩れが生じることも抑制できる。
【００７１】
また、梱包箱２は、本実施形態のように以下の特徴を有することが好ましい。梱包箱２は、開口部５３を上に向けて収納される軒樋５（第１軒樋５６）を含む複数の軒樋５が軒樋５の長手方向と直交する方向に並べて収納される箱である。梱包箱２は、第１補強板部２７、第２補強板部２９、側板部２３、折込部３１、第１蓋部２５、および第２蓋部２６を備える。第１補強板部２７は、前板部２１の側端部から後方に突出する。第２補強板部２９は、梱包箱２の後面部を構成する後板部２２の第１補強板部２７側の側端部から前方に突出し、第１補強板部２７に沿って配置される。側板部２３は、梱包箱２の下面部を構成する底板部２０の第１補強板部２７側の側端部から上方に突出し、第１補強板部２７および第２補強板部２９のうちの外側に位置する補強板部の外面に沿って配置される。折込部３１は、側板部２３の上端部に接続され、第１補強板部２７および前記第２補強板部２９のうちの内側に配置された補強板部の内面に沿うように折り込まれる。第１蓋部２５は、前板部２１の上端部から後方に突出し、前板部２１に対して折曲可能である。第２蓋部２６は、後板部２２の上端部から前方に突出し、後板部２２に対して折曲可能で、第１蓋部２５とで梱包箱２の上開口部３３を閉塞する。
【００７２】
この特徴を有する梱包箱２は、第１蓋部２５と第２蓋部２６を開くことで、梱包箱２の上開口部３３を開放でき、この上開口部３３から梱包箱２に収納された複数の軒樋５を取り出すことができる。
【００７３】
また、この梱包箱２は、折込部３１が、第１補強板部２７および第２補強板部２９のうちの内側に配置された補強板部の内面に沿うように折り込まれ、折込部３１が梱包箱２の外側方に引き出しにくい。このため、作業者は、側板部２３を開いて梱包箱２を外側方に開放しにくい。仮に梱包箱２が外側方に開放された場合、この開口部分から軒樋５が外側方に引き出される可能性がある。この場合、軒樋５を梱包箱２から取り出す際の移動距離が大きく、軒樋５同士が擦れて傷付く可能性がある。しかし、本実施形態では、前述のように側板部２３を開きにくくして、作業者が第１蓋部２５および第２蓋部２６を開いて軒樋５を梱包箱２から上方に引き出すように誘導できる。従って、梱包箱２から軒樋５を取り出すときに、軒樋５同士の擦れによって軒樋５に傷が付くことを抑制できる。なお、梱包箱２の表面部には、軒樋５を梱包箱２から上方に引き出すように誘導する表示や、軒樋５を梱包箱２から側方に引き出さないようにするための表示を付しても構わない。
【００７４】
また、本実施形態の梱包部材１は、以下の特徴を有している。梱包部材１は、梱包箱２と、保持部材４とを備える。保持部材４は、梱包箱２に収納された軒樋５を保持する。保持部材４は、底片部４０と前片部４１を備える。底片部４０は、軒樋５の下方に配置されて軒樋５を支持する。前片部４１は、底片部４０から上方に突出して、開口部５３を上に向けて収納された軒樋５の前壁部５１に対向する。底片部４０が、前片部４１よりも前方に突出した突出部４３を備える。
【００７５】
この特徴を有する梱包部材１は、保持部材４の前片部４１により、梱包箱２に開口部５３を上に向けて収納された軒樋５の前壁部５１を支持し、軒樋５が前側に倒れることを抑制できる。このため、軒樋５をより安定した姿勢で梱包できる。また、底片部４０は、前片部４１よりも前方に突出した突出部４３を備えている。このため、保持部材４が前側に倒れようとしたとき、突出部４３が梱包箱２の底板部２０によって支持される。すなわち、突出部４３によって保持部材４が前側に倒れることが抑制され、これにより、保持部材４で軒樋５の前壁部５１をしっかりと支持できる。また、この突出部４３は、梱包箱２の上方程後方に位置するように傾斜した前板部２１と、開口部５３を上にして配置した軒樋５の上方程前方に位置するように傾斜した前壁部５１との間のスペースを利用して配置できる。このため、軒樋５をコンパクトに梱包できる。
【００７６】
また、本実施形態の梱包構造は、以下に示す特徴を有している。梱包箱２、第１軒樋５６、および第２軒樋５７を備える。第１軒樋５６および第２軒樋５７のそれぞれは、重心が屋外側となる前側に偏った位置に存在する。第１軒樋５６および第２軒樋５７のそれぞれは、底壁部５０と、前壁部５１、および後壁部５２を備える。前壁部５１は、底壁部５０の前端部から立ち上がり、上方程前方に位置するように傾斜する。後壁部５２は、底壁部５０の後端部から立ち上がり、底壁部５０に対して垂直である。第１軒樋５６は、第１軒樋５６の開口部５３を上に向けた状態で梱包箱２に収納される。第２軒樋５７は、第２軒樋５７の開口部５３を下に向け、第２軒樋５７の後壁部５２を第１軒樋５６の内側に挿入し、かつ第２軒樋５７の内側に第１軒樋５６の後壁部５２を挿入した状態で梱包箱２に収納される。梱包箱２の前面部を構成する前板部２１が、第１軒樋５６の前壁部５１に対向し、上方程後方に位置するように傾斜する。
【００７７】
この特徴を有する梱包構造は、開口部５３を上に向けた第１軒樋５６の内側に、開口部５３を下に向けた第２軒樋５７の後壁部５２が挿入され、第１軒樋５６の後壁部５２が第２軒樋５７の内側に挿入される。このため、第１軒樋５６および第２軒樋５７を梱包箱２にコンパクトに収納できる。
【００７８】
また、仮に梱包箱２内の第１軒樋５６が前側に倒れようとしたとしても、この軒樋５の前壁部５１を梱包箱２の前板部２１で支持して軒樋５が倒れないようにでき、軒樋５を安定した姿勢で梱包できる。また、梱包箱２の前板部２１は、上方程後方に位置するように傾斜しているため、軒樋５によって前方に押されたとしても、前側に倒れにくい。このため、梱包箱２の前板部２１により前側に倒れようとする軒樋５をしっかりと支持することができる。また、前板部２１が前側に変形して梱包箱２が潰れることも抑制できる。
【００７９】
なお、梱包箱２には、図６に示すように上下逆にして重ねた軒樋５が１組だけ収納されてもよい。また、梱包箱２には、上下逆にして重ねた軒樋５が前後方向に３組以上収納されてもよい。また、梱包箱２には、開口部５３を上に向けて配置される軒樋５（第１軒樋５６）のみが前後方向に並べて収納されてもよい。また、梱包箱２には、開口部５３を上に向けて配置される軒樋５が１つだけ収納されてもよい。
【００８０】
また、梱包箱２の形状は、側面視等脚台形状に制限されない。例えば梱包箱２の後板部２２は、底板部２０に対して垂直であってもよい。
【００８１】
また、保持部材４の形状も本実施形態の形状に制限されない。例えば保持部材４の後片部４２は、省略してもよい。
【００８２】
また、梱包箱２には、図７のように保持部材４を用いずに軒樋５を収納してもよい。
【００８３】
また、軒樋５の形状も、前寄りの位置に重心が位置する形状であれば、本実施形態の形状に制限されない。
【００８４】
また、この他、本実施形態の梱包箱２、梱包部材１、および梱包構造は、本発明の趣旨を逸脱しない範囲で適宜変更可能である。
【符号の説明】
【００８５】
１  梱包部材
２  梱包箱
２０  底板部
２１  前板部
２３  側板部
２４  側板部
２５  第１蓋部
２６  第２蓋部
２７  第１補強板部
２８  第１補強板部
２９  第２補強板部
３０  第２補強板部
３１  折込部
３２  折込部
３３  上開口部
４  保持部材
４０  底片部
４１  前片部
４３  突出部
５  軒樋
５０  底壁部
５１  前壁部
５２  後壁部
５３  開口部
５６  第１軒樋
５７  第２軒樋
【図１】
2016113163.tif 000003
【図２】
2016113163.tif 000004
【図３】
2016113163.tif 000005
【図４】
2016113163.tif 000006
【図５】
2016113163.tif 000007
【図６】
2016113163.tif 000008
【図７】
2016113163.tif 000009